(57)【要約】      （修正有）【課題】悪臭が発生することがなく、ペットの遺体を載せる移動炉床の下側の部材を耐熱性仕様にする必要がないペット用火葬炉を提供する。【解決手段】火葬されるペットの遺体Ｐを載せる移動炉床３と、この移動炉床３を出入可能に収容する一次燃焼室ＣＣ１及び二次燃焼室ＣＣ２を有する炉本体１０とを備えている。炉本体１０は、移動炉床３を出し入れする開口１７と、開口１７を開閉可能に閉塞する扉１８と、一次燃焼室ＣＣ１に空気を供給する空気供給手段とを有し、一次燃焼室ＣＣ１に移動炉床３を収容して開口１７を扉１８によって閉塞した状態では、一次燃焼室ＣＣ１が、移動炉床３によって、上部空間と外部と遮断された下部空間とに区画されると共に、移動炉床３の周囲には、一次燃焼室ＣＣ１との間に上部空間と下部空間とを連通する隙間が形成されており、空気供給手段は、下部空間に空気を供給するようになっている。【選択図】図１
0003229455.tif 000002
【実用新案登録請求の範囲】
【請求項１】
火葬されるペットの遺体を載せる移動炉床と、この移動炉床を出し入れ可能に収容する燃焼室とを備えたペット用火葬炉であって、
前記移動炉床は、底壁の周縁部から周壁が立ち上がったトレイ状を有しており、
前記燃焼室は、
前記移動炉床を出し入れする開口と、
前記開口を開閉可能に閉塞する扉と、
前記燃焼室に空気を供給する空気供給手段と
を備え、
前記燃焼室に前記移動炉床を収容して前記開口を前記扉によって閉塞した状態では、前記燃焼室が、前記移動炉床によって、前記移動炉床の上方側の上部空間と前記移動炉床の下方側の外部と遮断された下部空間とに区画されると共に、前記移動炉床の周囲には、前記燃焼室との間に前記上部空間と前記下部空間とを連通する隙間が形成されており、
前記空気供給手段は、前記下部空間に空気を供給するようになっており、
前記空気供給手段によって前記下部空間に供給された空気は、前記移動炉床の周囲に形成された隙間を通って前記上部空間に送出されることを特徴とするペット用火葬炉。
【請求項２】
前記空気供給手段は、前記下部空間における前記燃焼室の壁面に沿って設置された給気ヘッダを有し、
前記給気ヘッダには、前記下部空間に対して横方向に空気を吹き出す多数の空気吐出孔が形成されている請求項１に記載のペット用火葬炉。
【請求項３】
前記移動炉床を、前記燃焼室に収容した所定の収容位置及び前記燃焼室から引き出した所定の引出位置でそれぞれ保持する保持手段を備えている請求項１または２に記載のペット用火葬炉。
【考案の詳細な説明】
【技術分野】
【０００１】
この考案は、犬や猫等のペットの遺体を火葬するための移動炉床式ペット用火葬炉に関する。
【背景技術】
【０００２】
この種の移動炉床式ペット用火葬炉としては、例えば、特許文献１に開示された愛玩動物用火葬システムがある。この愛玩動物用火葬システムは、図１０（ａ）、（ｂ）に示すように、耐火性の火格子Ｒを介して載せた愛玩動物の遺体Ｐを運搬するための上下昇降可能な積載部７１を備える台車７０と、台車７０の少なくとも積載部７１を挿入できるようにした火葬室８１を備える火葬炉８０と、火葬炉８０の火葬室８１内に配設された、台車７０の積載部７１を所定の高さより下降させる過程で積載部７１上の火格子Ｒに載せた遺体Ｐを火格子Ｒごと移し替えできるようにした、管材からなる左右一対の載置部８３、８３及び各載置部８３を支持する脚部８４、８４ａからなる支持台８２と、支持台８２の載置部８３上の火格子Ｒからなる受け具に載せた遺体Ｐを火葬して遺骨にする燃焼用バーナ８５ａ、８５ｂ、８５ｃと、給気ブロワ８７によって送出される空気を、給気管８８、支持台８２の管材からなる脚部８４及び載置部８３によって形成される空気通路を介して、載置部８３の空気排出口８３ａから遺体Ｐの近傍に供給する空気供給手段８６とを備えている。
【先行技術文献】
【特許文献】
【０００３】
【特許文献１】特開２００８−２５６２３７号公報
【考案の概要】
【考案が解決しようとする課題】
【０００４】
愛玩動物の遺体Ｐは、多くの水分や脂肪分を含んでいるので、上述したように、支持台８２の管材からなる一対の載置部８３、８３上に、遺体Ｐを載せた火格子Ｒを載置し、一対の載置部８３、８３の空気排出口８３ａから遺体Ｐの近傍に空気が供給されるようになっている火葬炉８０では、火葬される愛玩動物の遺体Ｐから出た水分や脂肪分が火格子Ｒから滴下され、載置部８３、８３の下方側には空気が供給されないので、火葬室８１の底部に溜まった脂肪分は不完全燃焼となり、悪臭が発生するといった問題がある。
【０００５】
また、一対の載置部８３、８３の下方側に空気が供給されない火葬炉８０では、一対の載置部８３、８３の下方側の部材が高温の燃焼ガスに晒されるので、これらの部材を耐熱性仕様にする必要があり、部材コストが高くなるといった問題もある。
【０００６】
そこで、この考案の課題は、悪臭が発生することがなく、ペットの遺体を載せる移動炉床の下側の部材を耐熱性仕様にする必要がないペット用火葬炉を提供することにある。
【課題を解決するための手段】
【０００７】
上記の課題を解決するため、請求項１に係る考案は、火葬されるペットの遺体を載せる移動炉床と、この移動炉床を出し入れ可能に収容する燃焼室とを備えたペット用火葬炉であって、前記移動炉床は、底壁の周縁部から周壁が立ち上がったトレイ状を有しており、前記燃焼室は、前記移動炉床を出し入れする開口と、前記開口を開閉可能に閉塞する扉と、前記燃焼室に空気を供給する空気供給手段とを備え、前記燃焼室に前記移動炉床を収容して前記開口を前記扉によって閉塞した状態では、前記燃焼室が、前記移動炉床によって、前記移動炉床の上方側の上部空間と前記移動炉床の下方側の外部と遮断された下部空間とに区画されると共に、前記移動炉床の周囲には、前記燃焼室との間に前記上部空間と前記下部空間とを連通する隙間が形成されており、前記空気供給手段は、前記下部空間に空気を供給するようになっており、前記空気供給手段によって前記下部空間に供給された空気は、前記移動炉床の周囲に形成された隙間を通って前記上部空間に送出されることを特徴とするペット用火葬炉を提供するものである。
【０００８】
また、請求項２に係る考案は、請求項１に係る考案のペット用火葬炉において、前記空気供給手段は、前記下部空間における前記燃焼室の壁面に沿って設置された給気ヘッダを有し、前記給気ヘッダには、前記下部空間に対して横方向に空気を吹き出す多数の空気吐出孔が形成されていることを特徴としている。
【０００９】
また、請求項３に係る考案は、請求項１または２に係る考案のペット用火葬炉において、前記移動炉床を、前記燃焼室に収容した所定の収容位置及び前記燃焼室から引き出した所定の引出位置でそれぞれ保持する保持手段を備えていることを特徴としている。
【考案の効果】
【００１０】
以上のように、請求項１に係る考案のペット用火葬炉は、移動炉床が、底壁の周縁部から周壁が立ち上がったトレイ状を有しているので、火葬されるペットの遺体から出た水分や脂肪分が移動炉床に溜まり、燃焼室の底部に滴下されることがないので、ペットの遺体Ｐから出た脂肪分等を確実に燃焼させることができ、悪臭の発生を防止することができる。
【００１１】
また、燃焼室に移動炉床を収容して開口を扉によって閉塞した状態では、燃焼室が、移動炉床によって、移動炉床の上方側の上部空間と移動炉床の下方側の外部と遮断された下部空間とに区画されると共に、移動炉床の周囲には、燃焼室との間に上部空間と下部空間とを連通する隙間が形成され、空気供給手段によって下部空間に供給された空気が移動炉床の周囲に形成された隙間を通って上部空間に送出されるので、上部空間と下部空間とを連通する空気流路を別途形成する必要がなく、燃焼室を有する炉の構造を簡素化できるという効果が得られる。
【００１２】
また、空気供給手段によって下部空間に供給された空気が移動炉床の周囲に形成された隙間を通って上部空間に送出されるので、高温の燃焼ガスが下部空間に流入することがなく、移動炉床の下方側に配設される部材が高温の燃焼ガスに晒されにくいので、それらの部材を耐熱性仕様にする必要がなく、部材コストを抑えることができると共に、不燃焼ガスが下方に充満することがなく、遺体の脂肪等を確実に燃焼させることができるので、燃焼効率も向上する。
【００１３】
また、請求項２に係る考案のペット用火葬炉は、空気供給手段が、下部空間における燃焼室の壁面に沿って設置された給気ヘッダを有し、その給気ヘッダには、下部空間に対して横方向に空気を吹き出す多数の空気吐出孔が形成されているので、下部空間に供給された空気が移動炉床の周縁部の隙間から均一に上部空間に送出され、遺体に火葬ムラが発生しにくいと共に、下部空間を均一に冷却することができるという効果が得られる。
【００１４】
例えば、ペット用火葬炉を車両に積載した移動火葬車では、坂道で駐車した状態で火葬作業を行わなければならない場合があるが、そういった場合、燃焼室に対して移動炉床を出し入れする際、坂道の低い方に向かって移動炉床が自然に移動してしまうといった問題があるが、請求項３に係る考案のペット用火葬炉は、移動炉床を、燃焼室に収容した所定の収容位置及び燃焼室から引き出した所定の引出位置でそれぞれ保持する保持手段を備えているので、このペット用火葬炉を車両に積載した移動火葬車を坂道に駐車した状態で火葬作業を行わなければならない場合も、移動炉床を収容位置及び引出位置で確実に保持することができ、火葬作業の作業性が向上すると共に、移動炉床を燃焼室に収容した状態で移動する際、移動炉床を所定の収容位置に保持しておくことで、移動火葬車の走行中の震動等によって移動炉床が燃焼室内で動くことがなく、ペット用火葬炉の構成要素が破損し難いといった効果が得られる。
【図面の簡単な説明】
【００１５】
【図１】この考案に係るペット用火葬炉の一実施形態を前後方向に切断した状態を示す概略縦断面図である。
【図２】同上のペット用火葬炉を構成している炉本体の給気ヘッダを示す横断面図である。
【図３】同上のペット用火葬炉を左右方向に切断した状態を示す概略縦断面図である。
【図４】同上の炉本体内の空気の流れを示す図である。
【図５】同上の炉本体における二次燃焼室内の空気の流れを示す図である。
【図６】同上のペット用火葬炉において移動炉床を引き出した状態を示す部分縦断面図である。
【図７】他の実施形態であるペット用火葬炉を前後方向に切断した状態を示す部分縦断面図である。
【図８】同上のペット用火葬炉を左右方向に切断した状態を示す概略縦断面図である。
【図９】同上のペット用火葬炉において移動炉床を引き出した状態を示す部分縦断面図である。
【図１０】（ａ）は従来のペット用火葬炉を示す概略断面図、（ｂ）は同上のペット用火葬炉においてペットの遺体を火葬室内に収容した状態を示す概略断面図である。
【考案を実施するための形態】
【００１６】
以下、実施の形態について図面を参照して説明する。図１〜図６に示すように、このペット用火葬炉１は、炉２と、この炉２に出し入れ可能に収容される移動炉床３とから構成されており、炉２から引き出した移動炉床３に火葬されるペットの遺体Ｐを載せた状態で炉２内に収容して遺体Ｐを火葬するようになっている。
【００１７】
前記炉２は、図１に示すように、相互に連通している一次燃焼室ＣＣ１及び二次燃焼室ＣＣ２を有する炉本体１０と、排気ダクト２１を介して炉本体１０の二次燃焼室ＣＣ２に接続された、開閉蓋２０ａを有する煙突２０と、炉本体１０の一次燃焼室ＣＣ１内に収容された移動炉床３に載せられたペットの遺体Ｐに火炎を放射する一次燃焼バーナー３０Ａ及び一次燃焼室ＣＣ１から二次燃焼室ＣＣ２に送られてくる燃焼排ガスに火炎を放射して高温環境下で再燃焼させる二次燃焼バーナー３０Ｂと、燃焼に必要な空気を、給気管４１を介して、一次燃焼室ＣＣ１及び二次燃焼室ＣＣ２に供給する燃焼空気供給ブロア４０Ａ及び二次燃焼室ＣＣ２内の燃焼排ガスを煙突２０内に引き込むための上昇気流を煙突２０内に積極的に形成すべく、給気ダクト４３を介して、煙突２０の下部に空気を供給する排気ブロア４０Ｂとを備えている。
【００１８】
前記炉本体１０は、ベース部材１０ａと、底面が開放された直方体形状の耐火容器１０ｂとから構成されており、耐火容器１０ｂは、ベース部材１０ａに載置した状態で固定されている。
【００１９】
前記ベース部材１０ａは、図１〜図３に示すように、鉄板によって形成された矩形状の底板１１と、底板１１の前端縁から立ち上がる、移動炉床３を炉２の一次燃焼室ＣＣ１から引き出し可能な切欠部を有する起立板１２と、鉄製の角パイプを用いてコ字状に形成された内部側に複数の空気吹出孔１３ａを有する給気ヘッダ１３と、底板１１上に配設された、載置した移動炉床３を前後方向に移動可能に支持する複数の鍔付きの支持ローラ１４とを備えており、給気ヘッダ１３は底板１１を取り囲むように底板１１の両側縁及び後端縁に連設され、この給気ヘッダ１３の上に耐火容器１０ｂが載置されている。
【００２０】
前記耐火容器１０ｂは、図１及び図３〜図５に示すように、鉄板によって形成された外装板１５ａと、この外装板１５ａの内面を覆う耐火材からなる耐火層１５ｂとから構成されており、連通穴１６ａを有する耐火材からなる隔壁１６で耐熱容器１０ｂ内を上下に区画することで、一次燃焼室ＣＣ１及び二次燃焼室ＣＣ２が形成されていると共に、一次燃焼室ＣＣ１の前面側に移動炉床３を出し入れするための開口１７及びこの開口１７を開閉可能に閉塞する扉１８が設けられている。
【００２１】
前記耐火容器１０ｂの両側部における外装板１５ａの下端部内面には、前後方向に延びる左右一対の鉄製の支持板１９がそれぞれ固定されている。
【００２２】
前記一次燃焼バーナー３０Ａ及び二次燃焼バーナー３０Ｂは、燃料タンクＴから燃料が供給されており、制御盤Ｓによって、一次燃焼室ＣＣ１及び二次燃焼室ＣＣ２の計測温度がそれぞれ設定温度になるように、ＯＮ／ＯＦＦ制御される。
【００２３】
前記燃焼空気供給ブロア４０Ａの吐出空気を供給する給気管４１は、ベース部材１０ａの給気ヘッダ１３に空気を供給する一次燃焼用給気管４１ａと、耐火容器１０ｂの二次燃焼室ＣＣ２における隔壁１６の連通穴１６ａ近傍に空気を供給する二次燃焼用給気管４１ｂとに分岐されており、一次燃焼用給気管４１ａ及び二次燃焼用給気管４１ｂにそれぞれ設けられた風量調整ダンパ４２ａ、４２ｂによって、それぞれの給気量を調整することができるようになっている。
【００２４】
前記移動炉床３は、図１及び図３に示すように、耐火材によって形成された、底壁の周縁部から周壁が立ち上がったトレイ状の炉床本体５１と、炉床本体５１に載置される高耐熱ステンレス製のロストル５２とを備えている。前記炉床本体５１は、前後面及び両側面の下部と底面の周縁部とが鉄板で覆われており、炉床本体５１の後面の鉄板部分に固定された支持部材５３を介して耐火容器１０ｂの左右一対の支持板１９の下面にそれぞれ当接する補助ローラ５４が取り付けられている。
【００２５】
従って、図６に示すように、扉１８を開けて耐火容器１０ｂの開口１７から移動炉床３を引き出すと、移動炉床３における耐火容器１０ｂの外側部分は支持されないので、引出端側が下方側に傾倒する回転モーメントが働くが、移動炉床３の後端部に設けられた左右一対の補助ローラ５４が耐火容器１０ｂの左右一対の支持板１９の下面に当接しているので、移動炉床３の引出端側が下方側に傾倒するのが阻止され、移動炉床３の姿勢が略水平状態に保持される。
【００２６】
また、このペット用火葬炉１は、図１に示すように、移動炉床３を炉本体１０の一次燃焼室ＣＣ１内に収容した所定の収容位置と、図６に示すように、移動炉床３を炉本体１０の一次燃焼室ＣＣ１から引き出した所定の引出位置とにそれぞれ保持する保持手段を備えている。
【００２７】
前記保持手段は、炉床本体５１の鉄板部分を前後に貫通する回転軸６１と、回転軸６１の後端に取り付けられた係止爪６２と、回転軸６１の前端に取り付けられた操作部材６３と、ベース部材１０ａの底板１１上の前後にそれぞれ配設された、係止爪６２が係合可能な断面Ｕ字状の被係止部６４、６５と、図３に示すように、炉床本体５１の両側部の鉄板部分に固定された、起立板１２の切欠部の両側縁に当接することで移動炉床３の引出量を規制する一対のストッパ６６とから構成されており、図１に示すように、移動炉床３を炉本体１０の一次燃焼室ＣＣ１内に収容した状態で、操作部材６３を回転操作して係止爪６２を被係止部６４に係合させると、移動炉床３が収容位置に保持され、図６に示すように、一対のストッパ６６が起立板１２の切欠部の両側縁に当接するまで移動炉床３を炉本体１０の一次燃焼室ＣＣ１から引き出した状態で、操作部材６３を回転操作して係止爪６２を被係止部６５に係合させると、移動炉床３が引出位置に保持される。
【００２８】
従って、例えば、このペット用火葬炉１を車両に積載した移動火葬車を坂道に駐車した状態で火葬作業を行う場合も、一次燃焼室ＣＣ１に対して移動炉床３を出し入れする際、保持手段によって、移動炉床３を収容位置または引出位置にそれぞれ保持することで、坂道の低い方に向かって移動炉床３が自然に移動してしまうことがなく、火葬作業の作業性が向上する。また、こういった移動火葬車は、移動炉床３を一次燃焼室ＣＣ１内に収容した状態で走行（移動）することになるが、その際、移動炉床３を所定の収容位置に保持しておくことで、移動火葬車の走行中の震動等によって移動炉床３が一次燃焼室ＣＣ１内で動くことがなく、ペット用火葬炉１の構成要素が破損し難いといった効果が得られる。
【００２９】
以上のように構成されたペット用火葬炉１は、上述したように、一次燃焼室ＣＣ１に移動炉床３を収容して開口１７を扉１８によって閉塞した状態では、燃焼ガスが一次燃焼室ＣＣ１の下部から外部に漏れ出ることがなく、図４に矢印で示すように、一次燃焼室ＣＣ１が、移動炉床３によって、移動炉床３の上方側の上部空間ＵＳと移動炉床３の下方側の外部と遮断された下部空間ＤＳとに区画されると共に、移動炉床３の周囲には、一次燃焼室ＣＣ１との間に上部空間ＵＳと下部空間ＤＳとを連通する隙間が形成されており、給気ヘッダ１３を介して、下部空間ＤＳに空気が供給されるようになっているので、給気ヘッダ１３の空気吹出孔１３ａから下部空間ＤＳ内に供給された空気が常時移動炉床３の上側に押し上げられ、移動炉床３の周縁部の隙間を通って上部空間ＵＳに送出される。
【００３０】
従って、移動炉床３の前後面及び両側面の下部と底面の周縁部とを覆っている鉄板、ベース部材１０ａの床面に支持された支持ローラ１４及び移動炉床３に支持された補助ローラ５４が高温の燃焼ガスに晒されにくく、これらの部材を耐熱性仕様にする必要がないので、部材コストを抑えることができると共に、不燃焼ガスが下方に充満することがなく、遺体Ｐの脂肪等を確実に燃焼させることができるので、燃焼効率も向上する。
【００３１】
また、このペット用火葬炉１は、上述したように、一次燃焼室ＣＣ１の下部空間ＤＳに空気を供給する空気供給手段が、下部空間ＤＳにおける一次燃焼室ＣＣ１の壁面に沿って設置された給気ヘッダ１３を有し、その給気ヘッダ１３には、下部空間ＤＳに対して横方向に空気を吹き出す多数の空気吐出孔１３ａが形成されているので、下部空間ＤＳに供給された空気が移動炉床３の周縁部の隙間から均一に上部空間ＵＳに送出され、遺体Ｐに火葬ムラが発生しにくいと共に、下部空間ＤＳを均一に冷却することができるという効果が得られる。
【００３２】
また、このペット用火葬炉１は、上述したように、耐火容器１０ｂの開口１７から引き出された移動炉床３の引出端側が下方側に傾倒することなく、略水平状態に保持されるので、一次燃焼室ＣＣ１に対して移動炉床３を出し入れする際、一次燃焼室ＣＣ１の開口１７から引き出した移動炉床３を耐火容器１０ｂの外部で支持する外部支持部材を使用する必要がなく、しかも、支持板１９の下面に当接した状態の補助ローラ５４が転動しながら、移動炉床３が移動するので、移動炉床３の移動抵抗が小さく、耐火容器１０ｂ（一次燃焼室ＣＣ１）に対する移動炉床３の出し入れ作業も円滑かつ容易に行うことができる。
【００３３】
なお、上述したペット用火葬炉１では、鍔付きの支持ローラ１４や補助ローラ５４を使用しているが、ボールローラ等の転動部材を使用することも可能であり、鍔付きの支持ローラ１４に代えてボールローラを使用する場合は、移動炉床３の移動方向を規制するガイド部材を設ける必要がある。
【００３４】
また、上述したペット用火葬炉１では、補助ローラ５４が当接する支持板１９を耐火容器１０ｂの両側部における外装板１５ａに取り付けているが、給気ヘッダ１３の上面に取り付けることも可能である。
【００３５】
また、上述したペット用火葬炉１では、ベース部材１０ａの底板１１上に配設された複数の鍔付きの支持ローラ１４によって移動炉床３を前後方向に移動可能に支持しているが、これに限定されるものではなく、例えば、図７〜図９に示す炉２Ａのように、炉床本体５１の底面の鉄板部分に車輪１４ａを取り付けると共に、車輪１４ａを案内する、前後方向に延びる一対のレール１４ｂをベース部材１０ａの底板１１上に配設し、一対のレール１４ｂに沿って移動炉床３Ａを一次燃焼室ＣＣ１に対して出し入れするようにしてもよい。
【００３６】
また、上述した実施形態では、一次燃焼室ＣＣ１に対して移動炉床３を出し入れするために外部レール等を別途使用しなくてもよいように、移動炉床３の後端部に設けられた左右一対の補助ローラ５４を耐火容器１０ｂの左右一対の支持板１９の下面に当接させることにより、移動炉床３の引出端側が下方側に傾倒するのを阻止しているが、これに限定されるものではなく、移動炉床３を一次燃焼室ＣＣ１に収容した状態で、一次燃焼室ＣＣ１の下部空間ＤＳを外部と遮断できるのであれば、一次燃焼室ＣＣ１に対して移動炉床３を出し入れする際、一次燃焼室ＣＣ１の開口１７から引き出した移動炉床３を耐火容器１０ｂの外部で支持するレール等の外部支持部材を使用するものであってもよい。
【００３７】
また、上述した実施形態では、一次燃焼室ＣＣ１の下部空間ＤＳに均一に空気を供給するために、下部空間ＤＳにおける一次燃焼室ＣＣ１の壁面に沿って設置された、下部空間ＤＳに対して横方向に空気を吹き出す多数の空気吐出孔１３ａを有する給気ヘッダ１３を設けているが、こういった給気ヘッダ１３を設けることなく、一次燃焼用給気管４１ａを一次燃焼室ＣＣ１の下部に接続して下部空間ＤＳに空気を直接供給するものであってもよい。
【００３８】
また、上述した実施形態では、燃焼室を隔壁１６によって一次燃焼室ＣＣ１及び二次燃焼室ＣＣ２に区画し、一次燃焼室ＣＣ１で発生した燃焼排ガスを二次燃焼室ＣＣ２で完全に加熱分解させるようにしているが、これに限定されるものではなく、１つの燃焼室で完全に燃焼させることができるのであれば、必ずしも二次燃焼室を設ける必要はない。
【産業上の利用可能性】
【００３９】
本考案は、ペットの遺体を火葬する際に利用することができる。
【符号の説明】
【００４０】
１  ペット用火葬炉
２、２Ａ  炉
３、３Ａ  移動炉床
１０  炉本体
１０ａ  ベース部材
１０ｂ  耐火容器
１１  底板
１２  起立板
１３  給気ヘッダ
１３ａ  空気吹出孔
１４  支持ローラ
１４ａ  車輪
１４ｂ  レール
１５ａ  外装板
１５ｂ  耐火層
１６  隔壁
１６ａ  連通穴
１７  開口
１８  扉
１９  支持板
２０  煙突
２０ａ  開閉蓋
２１  排気ダクト
３０Ａ  一次燃焼バーナー
３０Ｂ  二次燃焼バーナー
４０Ａ  燃焼空気供給ブロア（空気供給手段）
４０Ｂ  排気ブロア
４１  給気管（空気供給手段）
４１ａ  一次燃焼用給気管
４１ｂ  二次燃焼用給気管
４２ａ、４２ｂ  風量調整ダンパ
４３  給気ダクト
５１  炉床本体
５２  ロストル
５３  支持部材
５４  補助ローラ
６１  回転軸
６２  係止爪
６３  操作部材
６４、６５  被係止部
６６  ストッパ
ＣＣ１  一次燃焼室（燃焼室）
ＣＣ２  二次燃焼室（燃焼室）
ＵＳ  上部空間
ＤＳ  下部空間
Ｐ  ペットの遺体
Ｓ  制御盤
Ｔ  燃料タンク
【図１】
0003229455.tif 000003
【図２】
0003229455.tif 000004
【図３】
0003229455.tif 000005
【図４】
0003229455.tif 000006
【図５】
0003229455.tif 000007
【図６】
0003229455.tif 000008
【図７】
0003229455.tif 000009
【図８】
0003229455.tif 000010
【図９】
0003229455.tif 000011
【図１０】
0003229455.tif 000012